(57)【要約】      （修正有）【課題】風呂敷や四角のシートを用い、持ち手を取り付けたハンドバッグ、ショルダーバッグを形成する際に、風呂敷の端部から荷物がこぼれ落ちる等の現象を防ぎ、重量物を含む荷物が内部で安定する風呂敷バッグを提供する。【解決手段】風呂敷のように平面上に広げることができる略正方形の基布１に、基布の各辺の中心点を結んだ４点をカバーするよう皮革２を貼り、また各辺の中点付近に凸ホック３ａ、４ａと凹ホック３ｂ、４ｂを備えた風呂敷であり、使用時に布の隅を結び袋状としたうえ、別途荷物の荷重を支え手に提げるために、基布の端部を巻き込み回動可能に軸支するリングを両端に有する持ち手を組合せた。【選択図】図１
0003214994.tif 000002
【実用新案登録請求の範囲】
【請求項１】
略正方形の基布と、前記基布の中央部に形成された補強部と、前記基布の表面側であって外周縁に隣接する位置に取り付けられた少なくとも２組のホックとを備えており、
前記基布は、対角線上に配置される一対の角部を重ね合わせる折り曲げ状態に変形可能であり、
前記２組の各ホックは、いずれも、前記基布の表面側同士を対向させつつ前記折り曲げ状態に変形させた逆折り曲げ状態のときに相対向する位置に配置されている、風呂敷バッグ。
【請求項２】
前記基布は、前記基布の裏面側同士を対向させた状態で一対の角部を重ね合わせた基本折り曲げ状態に変形可能であり、
前記基本折り曲げ状態に変形されたときに、折り曲げ部分の両端に位置する角部は、ひと結びを形成可能であり、
前記基布は、前記基本折り曲げ状態に変形されて背中合わせに配置された２組のホックを係合させるように変形可能であり、
前記基本折り曲げ状態に変形された前記基布の一対の角部は、本結び可能である、請求項１に記載の風呂敷バッグ。
【請求項３】
前記補強部は、前記基布の一方の面である表面側に取り付けられた皮革部である、請求項１または請求項２に記載の風呂敷バッグ。
【請求項４】
前記ホックは、前記基布と前記補強部とが重なった位置に取り付けられている、請求項１から請求項３のいずれか一項に記載の風呂敷バッグ。
【請求項５】
前記基布に取り付け可能な持ち手をさらに備えており、
当該持ち手は、持ち手本体と、持ち手本体の各端部に取り付けられた一組のリングとを備えており、
持ち手本体の端部の一組のリングには、前記基布の角部を着脱自在に係合可能である、請求項１から請求項４のいずれか一項に記載の風呂敷バッグ。
【考案の詳細な説明】
【技術分野】
【０００１】      本考案は、日常生活で使用されるバッグ（手提げ袋、風呂敷等を含む）に関する。
【背景技術】
【０００２】      従来の荷物を運ぶ風呂敷型バッグには、風呂敷や四角形のシートを加工することなく、そのまま用いて、これに取っ手を取り付け、ハンドバッグ、ショルダーバッグとして使用可能な簡易包装体が提案されている。
【先行技術文献】
【特許文献】
【特許文献】特許第４２３５９７８号公報
【０００３】      しかし、この簡易包装体では、取っ手を取り付けた状態の風呂敷の布の各辺の中心点が自在な状態で開放されているため、荷物が横からこぼれ落ちてしまう、また通常布製である風呂敷を用いるため重量物を安定して保持することが難しく安定感に欠ける問題があった。
【考案の概要】
【考案が解決しようとする課題】
【０００４】      本願考案の目的は、上述の従来技術の問題に鑑み、風呂敷や四角のシートを用い、持ち手を取り付けたハンドバッグ、ショルダーバッグを形成する際に、風呂敷の端部から荷物がこぼれ落ちる等の現象を防ぎ、重量物を含む荷物が内部で安定する風呂敷バッグを提供することである。
【課題を解決するための手段】
【０００５】      そこで、考案者は、従来の風呂敷の優れた特徴を生かしつつ、運搬時のかかる不便を解消した新規な風呂敷バッグを開発した。【０００６】      前記目的を達成するために請求項１に係る風呂敷バッグは、略正方形の基布と、前記基布の中央部に形成された補強部と、前記基布の表面側であって外周縁に隣接する位置に取り付けられた少なくとも２組の前記ホックとを備えており、前記基布は、対角線上に配置される一対の角部を重ね合わせる折り曲げ状態に変形可能であり、前記２組の各ホックは、いずれも、前記基布の表面側同士を対向させつつ前記折り曲げ状態に変形させた逆折り曲げ状態のときに相対向する位置に配置されている。【０００７】      また、前記目的を達成するために請求項２に係る風呂敷バッグの前記基布は、前記基布の裏面側同士を対向させた状態で一対の角部を重ね合わせた基本折り曲げ状態に変形可能であり、前記基本折り曲げ状態に変形されたときに、折り曲げ部分の両端に位置する角部は、ひと結びを形成可能であり、前記基布は、前記基本折り曲げ状態に変形されて背中合わせに配置された２組のホックを係合させるように変形可能であり、前記基本折り曲げ状態に変形された前記基布の一対の角部は、本結び可能である。【０００８】    また、前記目的を達成するために請求項３に係る風呂敷バッグの前記補強部は、前記基布の一方の面である表面側に取り付けられた皮革部である。【０００９】    また、前記目的を達成するために請求項４に係る風呂敷バッグの前記ホックは、前記基布と前記補強部とが重なった位置に取り付けられている。【００１０】    また、前記目的を達成するために請求項５に係る風呂敷バッグは、前記基布に取り付け可能な持ち手をさらに備えており、当該持ち手は、持ち手本体と、持ち手本体の各端部に取り付けられた一組のリングとを備えており、持ち手本体の端部の一組のリングには、前記基布の角部を着脱自在に係合可能である。
【考案の効果】
【００１１】      本考案の風呂敷バッグは、風呂敷のように平面上に広げることができる略正方形の基布に、基布の各辺の中点を結んだ４点をカバーするよう皮革を貼り、また各辺の中心点付近にホックを備えた風呂敷であり、使用時に布の隅を結び袋状としたうえ、別途荷物の荷重を支え手に提げるための持ち手を組合せていることにより、ハンドバッグ、ショルダーバッグのようにして使用できる。また基布の各辺の中点を結んだ４点をカバーするよう皮革を貼り布地の強度を強化しているため、重量物を含む荷物が内部で安定する。さらに、各辺の中心点付近にホックを備え、使用時にホック留めを行うと、袋状体の密閉度が高まり、荷物がこぼれ落ちることがない。
また、基布に皮革などで構成された補強部を縫い付けており、さらに持ち手を取り付けることができるため、風呂敷バッグの安定性、密閉性を高める効果の他に、服装に合せおしゃれなハンドバッグ、ショルダーバッグとしておしゃれをコーディネートできる効果もある。
【図面の簡単な説明】
【００１２】
【図１】風呂敷バッグを広げた平面図（表）
【図２】風呂敷バッグを広げた平面図（裏）
【図３】持ち手
【図４】風呂敷バッグになる過程の状況図  （Ａ）風呂敷を対角線で２つに折りたたんだ図  （Ｂ）対角線の端部を結んだ図  （Ｃ）表側に返し、ホックを留めた図  （Ｄ）持ち手を取り付けた図  （Ｅ）完成図
【図５】持ち手を取り付けた肩掛けの使用状態図
【図６】手提げ形態で使用している状態図
【符号の説明】
【００１３】１…基布、２…皮革（補強部）、
３ａ…凸ホック、３ｂ…凹ホック、４ａ…凸ホック、４ｂ…凹ホック、
５ａ…基布端（一対の角部）、
５ｂ…基布端（折り曲げ部分に隣接する角部）、
７…ファスナー式ポケット、
８…持ち手、８ａ…把持部（持ち手本体）、８ｂ…リング。
【考案を実施するための形態】
【００１４】    略正方形の基布の表面には、基布の四隅（角部）を除く部分に皮革などで構成された補強部を縫い付け等によって取り付け、基布の各辺（外周縁）の中点付近端部４カ所に袋状にする際用いるホックを取り付ける。すなわち、凸ホックと凹ホックの組を都合２組取り付ける。
基布の四隅は、袋状に使用する際結び目を形成するため、皮革を取り付けない。基布の裏面には、袋状に使用する際にバッグ内側のポケットとして機能する袋とファスナーを取り付ける。また持ち手は、皮革素材の把持部の両端にリング各２個が取り付けられており、基布の端部を巻き込み回動可能に軸支される。
【実施例】
【００１５】    本考案の実施例を説明する。
図１に示すように、略正方形の基布１の素材は綿、麻、ポリエステル等風呂敷として折り畳み可能な素材とし、基布１の表面には、基布１の四隅（角部）５ａ，５ｂを除く部分に皮革（補強部）２を縫い付け、基布１の四隅５ａ，５ｂは、袋状に使用する際結び目を形成するため、皮革２を取り付けない。基布１の各辺（外周縁）の中点付近端部（外周縁近傍）には袋状にする際用いられる凸ホック３ａ，４ａを２か所、凹ホック３ｂ，４ｂを２か所取り付け、一対の凹凸ホック３ａ，３ｂ（４ａ，４ｂ）を合わせて留めることができる。図１に示すように、基布１の裏面（バッグの状態で内側面）には、袋状に使用する際にバッグ内側のポケットとして機能するファスナー式ポケット７を取り付ける。
また図３に示すように、持ち手８は、皮革ないし布等素材の把持部（持ち手本体）８ａの両端にそれぞれ２個のリング８ｂ，８ｂが取り付けられており、基布端部５ａを巻き込み回動可能に軸支される。【００１６】    図４に示すように、風呂敷バッグとして使用する際は、床、机に図２の状態（表面を上側に向けた状態）で基布１を置き、２つの基布端部５ａ，５ａ同志を重ね合わせるようにして三角形の状態になるように折る（図４（Ａ）参照）。
次に、２つの基布端部５ｂ，５ｂをそれぞれ、ひと結びする（図４Ｂ参照）。
次に基布１を表面に返し（図４（Ｃ）参照）、皮革２が外側に露出する状態とし、２組の凹凸ホック３ａ，３ｂ（４ａ，４ｂ）を合わせ留める。
最後に持ち手８を取り付ける際には、バッグ上部となる２か所の基布端部５ａ，５ａを持ち手８の本体８ａ各端部の２つのリング８ｂ，８ｂを合わせたまま同時に通し、さらにその基布端部５ａを折り返して、２つのリング８ｂ、８ｂのすき間を通す（図４（Ｄ）参照）。これにより、基布端部５ａをリング８ｂ，８ｂに結び付けることなく、持ち手８に固定することができる（図４（Ｅ）参照）。持ち手８を取り付けた使用形態では（図５参照）、把持部８ａを肩にかけ、ショルダーバッグとして収納物品を運搬することができ、使用中に終始両手を開けることができるメリットがある。
なお、風呂敷バッグとして使用する形態としては、持ち手８を取り付ける形態の他、手提げ用に持ち手８を取り付けない手提げ形態があり、手提げ形態の際は、前記図４（Ｃ）の状態から、基布端部５ａ，５ａを本結びし、本結びした部分を握って携行することにより、持ち手８を用いずに手提げバッグとして収納物品の運搬が可能になる（図６参照）。
【図１】
0003214994.tif 000003
【図２】
0003214994.tif 000004
【図３】
0003214994.tif 000005
【図４】
0003214994.tif 000006
0003214994.tif 000007
【図５】
0003214994.tif 000008
【図６】
0003214994.tif 000009
【手続補正書】
【提出日】平成29年12月21日(2017.12.21)
【手続補正１】
【補正対象書類名】明細書
【補正対象項目名】全文
【補正方法】変更
【補正の内容】
【考案の詳細な説明】
【技術分野】
【０００１】      本考案は、日常生活で使用されるバッグ（手提げ袋、風呂敷等を含む）に関する。
【背景技術】
【０００２】      従来の荷物を運ぶ風呂敷型バッグには、風呂敷や四角形のシートを加工することなく、そのまま用いて、これに取っ手を取り付け、ハンドバッグ、ショルダーバッグとして使用可能な簡易包装体が提案されている。
【先行技術文献】
【特許文献】
【特許文献】特許第４２３５９７８号公報
【０００３】      しかし、この簡易包装体では、取っ手を取り付けた状態の風呂敷の布の各辺の中心点が自在な状態で開放されているため、荷物が横からこぼれ落ちてしまう、また通常布製である風呂敷を用いるため重量物を安定して保持することが難しく安定感に欠ける問題があった。
【考案の概要】
【考案が解決しようとする課題】
【０００４】      本願考案の目的は、上述の従来技術の問題に鑑み、風呂敷や四角のシートを用い、持ち手を取り付けたハンドバッグ、ショルダーバッグを形成する際に、風呂敷の端部から荷物がこぼれ落ちる等の現象を防ぎ、重量物を含む荷物が内部で安定する風呂敷バッグを提供することである。
【課題を解決するための手段】
【０００５】      そこで、考案者は、従来の風呂敷の優れた特徴を生かしつつ、運搬時のかかる不便を解消した新規な風呂敷バッグを開発した。【０００６】      前記目的を達成するために請求項１に係る風呂敷バッグは、略正方形の基布と、前記基布の中央部に形成された補強部と、前記基布の表面側であって外周縁に隣接する位置に取り付けられた少なくとも２組の前記ホックとを備えており、前記基布は、対角線上に配置される一対の角部を重ね合わせる折り曲げ状態に変形可能であり、前記２組の各ホックは、いずれも、前記基布の表面側同士を対向させつつ前記折り曲げ状態に変形させた逆折り曲げ状態のときに相対向する位置に配置されている。【０００７】      また、前記目的を達成するために請求項２に係る風呂敷バッグの前記基布は、前記基布の裏面側同士を対向させた状態で一対の角部を重ね合わせた基本折り曲げ状態に変形可能であり、前記基本折り曲げ状態に変形されたときに、折り曲げ部分の両端に位置する角部は、ひと結びを形成可能であり、前記基布は、前記基本折り曲げ状態に変形されて背中合わせに配置された２組のホックを係合させるように変形可能であり、前記基本折り曲げ状態に変形された前記基布の一対の角部は、本結び可能である。【０００８】    また、前記目的を達成するために請求項３に係る風呂敷バッグの前記補強部は、前記基布の一方の面である表面側に取り付けられた皮革部である。【０００９】    また、前記目的を達成するために請求項４に係る風呂敷バッグの前記ホックは、前記基布と前記補強部とが重なった位置に取り付けられている。【００１０】    また、前記目的を達成するために請求項５に係る風呂敷バッグは、前記基布に取り付け可能な持ち手をさらに備えており、当該持ち手は、持ち手本体と、持ち手本体の各端部に取り付けられた一組のリングとを備えており、持ち手本体の端部の一組のリングには、前記基布の角部を着脱自在に係合可能である。
【考案の効果】
【００１１】      本考案の風呂敷バッグは、風呂敷のように平面上に広げることができる略正方形の基布に、基布の各辺の中点を結んだ４点をカバーするよう皮革を貼り、また各辺の中心点付近にホックを備えた風呂敷であり、使用時に布の隅を結び袋状としたうえ、別途荷物の荷重を支え手に提げるための持ち手を組合せていることにより、ハンドバッグ、ショルダーバッグのようにして使用できる。また基布の各辺の中点を結んだ４点をカバーするよう皮革を貼り布地の強度を強化しているため、重量物を含む荷物が内部で安定する。さらに、各辺の中心点付近にホックを備え、使用時にホック留めを行うと、袋状体の密閉度が高まり、荷物がこぼれ落ちることがない。
また、基布に皮革などで構成された補強部を縫い付けており、さらに持ち手を取り付けることができるため、風呂敷バッグの安定性、密閉性を高める効果の他に、服装に合せおしゃれなハンドバッグ、ショルダーバッグとしておしゃれをコーディネートできる効果もある。
【図面の簡単な説明】
【００１２】
【図１】風呂敷バッグを広げた平面図（表）
【図２】風呂敷バッグを広げた平面図（裏）
【図３】持ち手
【図４】風呂敷バッグになる過程の状況図
【図５】持ち手を取り付けた肩掛けの使用状態図
【図６】手提げ形態で使用している状態図
【符号の説明】
【００１３】１…基布、２…皮革（補強部）、
３ａ…凸ホック、３ｂ…凹ホック、４ａ…凸ホック、４ｂ…凹ホック、
５ａ…基布端（一対の角部）、
５ｂ…基布端（折り曲げ部分に隣接する角部）、
７…ファスナー式ポケット、
８…持ち手、８ａ…把持部（持ち手本体）、８ｂ…リング。
【考案を実施するための形態】
【００１４】    略正方形の基布の表面には、基布の四隅（角部）を除く部分に皮革などで構成された補強部を縫い付け等によって取り付け、基布の各辺（外周縁）の中点付近端部４カ所に袋状にする際用いるホックを取り付ける。すなわち、凸ホックと凹ホックの組を都合２組取り付ける。
基布の四隅は、袋状に使用する際結び目を形成するため、皮革を取り付けない。基布の裏面には、袋状に使用する際にバッグ内側のポケットとして機能する袋とファスナーを取り付ける。また持ち手は、皮革素材の把持部の両端にリング各２個が取り付けられており、基布の端部を巻き込み回動可能に軸支される。
【実施例】
【００１５】    本考案の実施例を説明する。
図１に示すように、略正方形の基布１の素材は綿、麻、ポリエステル等風呂敷として折り畳み可能な素材とし、基布１の表面には、基布１の四隅（角部）５ａ，５ｂを除く部分に皮革（補強部）２を縫い付け、基布１の四隅５ａ，５ｂは、袋状に使用する際結び目を形成するため、皮革２を取り付けない。基布１の各辺（外周縁）の中点付近端部（外周縁近傍）には袋状にする際用いられる凸ホック３ａ，４ａを２か所、凹ホック３ｂ，４ｂを２か所取り付け、一対の凹凸ホック３ａ，３ｂ（４ａ，４ｂ）を合わせて留めることができる。図１に示すように、基布１の裏面（バッグの状態で内側面）には、袋状に使用する際にバッグ内側のポケットとして機能するファスナー式ポケット７を取り付ける。
また図３に示すように、持ち手８は、皮革ないし布等素材の把持部（持ち手本体）８ａの両端にそれぞれ２個のリング８ｂ，８ｂが取り付けられており、基布端部５ａを巻き込み回動可能に軸支される。【００１６】    図４に示すように、風呂敷バッグとして使用する際は、床、机に図２の状態（表面を上側に向けた状態）で基布１を置き、２つの基布端部５ａ，５ａ同志を重ね合わせるようにして三角形の状態になるように折る（図４（Ａ）風呂敷を対角線で２つに折りたたんだ図参照）。
次に、２つの基布端部５ｂ，５ｂをそれぞれ、ひと結びする（図４（Ｂ）対角線の端部を結んだ図参照）。
次に基布１を表面に返し（図４（Ｃ）表側に返し、ホックを留めた図参照）、皮革２が外側に露出する状態とし、２組の凹凸ホック３ａ，３ｂ（４ａ，４ｂ）を合わせ留める。
最後に持ち手８を取り付ける際には、バッグ上部となる２か所の基布端部５ａ，５ａを持ち手８の本体８ａ各端部の２つのリング８ｂ，８ｂを合わせたまま同時に通し、さらにその基布端部５ａを折り返して、２つのリング８ｂ、８ｂのすき間を通す（図４（Ｄ）持ち手を取り付けた図参照）。これにより、基布端部５ａをリング８ｂ，８ｂに結び付けることなく、持ち手８に固定することができる（図４（Ｅ）完成図参照）。持ち手８を取り付けた使用形態では（図５参照）、把持部８ａを肩にかけ、ショルダーバッグとして収納物品を運搬することができ、使用中に終始両手を開けることができるメリットがある。
なお、風呂敷バッグとして使用する形態としては、持ち手８を取り付ける形態の他、手提げ用に持ち手８を取り付けない手提げ形態があり、手提げ形態の際は、前記図４（Ｃ）の状態から、基布端部５ａ，５ａを本結びし、本結びした部分を握って携行することにより、持ち手８を用いずに手提げバッグとして収納物品の運搬が可能になる（図６参照）。
【手続補正２】
【補正対象書類名】図面
【補正対象項目名】全図
【補正方法】変更
【補正の内容】
【図１】
0003214994.tif 000010
【図２】
0003214994.tif 000011
【図３】
0003214994.tif 000012
【図４】
0003214994.tif 000013
【図５】
0003214994.tif 000014
【図６】
0003214994.tif 000015